(57)【要約】      （修正有）【課題】麺類を掛けるだけで滑らず簡便に保持することが可能な麺類フォークを提供する。【解決手段】食物保持部２と把持部３とからなる。食物保持部の枝に麺類が掛かる段差のある凹み部２ｂを設ける。また、把持部に強度を高める連続したリブを設ける。さらに、食物保持部にシリコンゴムを被覆し、表面加工する。【選択図】図２
0003177408.tif 000002
【実用新案登録請求の範囲】
【請求項１】
把持部と、当該把持部から分岐する複数の枝を有する食物保持部と、からなるフォークであって、
前記枝の表面に溝が設けられていること
を特徴とする麺類フォーク。
【請求項２】
請求項１に記載の麺類フォークであって、
前記溝が複数設けられていること
を特徴とする麺類フォーク。
【請求項３】
請求項１又は２に記載の麺類フォークであって、
前記枝の裏面は、平坦に形成されていること
を特徴とする麺類フォーク。
【請求項４】
把持部と、当該把持部から分岐する複数の枝を有する食物保持部と、からなるフォークであって、
前記枝が、波状に形成されており、少なくとも他の何れかの枝に対して、高低位置及び波幅のうち少なくとも何れかが異なるよう形成されていること
を特徴とする麺類フォーク。
【請求項５】
請求項４に記載の麺類フォークであって、
枝部は、その先端が前記枝の分岐位置の略延長方向へ伸長するよう形成されていること
を特徴とする麺類フォーク。
【請求項６】
請求項１から５のいずれか一項に記載の麺類フォークであって、
前記把持部にリブが設けられていること
を特徴とする麺類フォーク
【請求項７】
請求項１から６のいずれか一項に記載の麺類フォークであって、
芯部と、当該芯部を覆う被覆部と、から形成されていること
を特徴とする麺類フォーク。
【請求項８】
請求項１から６のいずれか一項に記載の麺類フォークであって、
前記食物保持部は、芯部と、当該芯部を覆う被覆部と、から形成され
前記芯部は、前記把持部と一体に形成されていること
を特徴とする麺類フォーク。
【請求項９】
請求項７または８に記載の麺類フォークにおいて、
前記芯部がナイロン、ポリプロピレン、金属、セラミックス、プラスチック樹脂ので形成のいずれかで形成され、
前記被覆部がシリコン樹脂、シリコンゴム、エラストマーのいずれかで形成されていること
を特徴とする麺類フォーク。
【請求項１０】
請求項１から６の何れか一項に記載の麺類フォークにおいて、
結晶性プラスチック樹脂で形成されていること
を特徴とする麺類フォーク。
【請求項１１】
請求項１から６の何れか一項に記載の麺類フォークにおいて、
シンジオタクチックポリスチレン、または、コポリエステル樹脂で形成されていること
を特徴とする麺類フォーク。
【請求項１２】
請求項９に記載の麺類フォークにおいて、
前記被覆部の表面に、摺動性、滑り性、耐摩耗性の何れかを向上させるコーティングが施されていること
を特徴とする麺類フォーク。
【考案の詳細な説明】
【技術分野】
【０００１】
本考案は、食事や調理、配膳に使用する麺類フォークに関する。
【背景技術】
【０００２】
従来から、パスタ、特にスパゲッティを食べるために先端部が３から４ないし５に分かれた食事用のフォークが利用されている。また、料理を取り分ける道具として食事用のフォークを大きめにした、同じような調理用フォークが使用されている。これらのフォークの先端部は、それぞれは平らな板状を細長く伸ばした形状である場合が多い。
【０００３】
しかしながら、板状の先端部分は食材が滑り落ちやすく、特に子供や老人にとっては使いにくいものとなっていた。また、金属製のものは重く、金味がしたり、先端が刺さって怪我をする虞があったり等の問題もあった。さらに、噛むことにより歯を痛める可能性もある。
【０００４】
この点、特許文献１には、身体に障害がある人や高齢者や幼児など通常の箸やスプーンやフォークなどの食事用具をうまく使えない人を対象にした食事用具、及びこれらの問題点が記載されている。
【０００５】
また、特許文献１は、把持部被覆部がシリコン樹脂またはシリコンゴムを用いて一体成型されることを特徴とするフォークが開示されている。しかしながら、これは先端部に玉状体または凸状体を形成させる、又は、側面に突起体または凸状体を形成したものであり、麺類を絡めるのには適している。しかしながら、特に少しずつ食べる、食べさせる場合には巻き取る動作より、掛ける動作が有効である。ところが上記特許文献１に記載のフォークでは、麺を掛けることは難しい。また、シリコンゴム独特のタック感（べたべた感）があった。
【０００６】
特許文献２、及び特許文献３には、先端部が波状に形成されたフォークが開示されているが、プラスチック製とした場合、強度に難があった。また、肉厚が厚くシリコン被覆とした形状になり難く、離乳食用とする場合には大きくなりすぎる。さらに、食物保持部の底部は上面に沿って段が付いているため、口触りに難があった。また、波状の両側フォーク部の波がそろっているため、麺の太さの変化に対応していなかった。
【先行技術文献】
【特許文献】
【０００７】
【特許文献１】登録実用新案第３１６４４５６号公報
【特許文献２】意匠登録第１４０４５７０号公報
【特許文献３】意匠登録第１３９０７２２号公報
【考案の概要】
【考案が解決しようとする課題】
【０００８】
本考案は、麺類を掛けるだけで滑らず簡便に保持することが可能な麺類フォークを提供することを目的とする。
【課題を解決するための手段】
【０００９】
上記課題を解決するために、本考案の一態様に係る麺類フォークは、把持部と、当該把持部から分岐する複数の枝を有する食物保持部と、からなるフォークであって、前記枝の表面に溝が設けられていることを特徴とする。
【考案の効果】
【００１０】
麺類を掛けるだけで滑らず簡便に保持することが可能な麺類フォークを提供する。
【図面の簡単な説明】
【００１１】
【図１】（ａ）（ｂ）本考案の実施例１に係る麺類フォーク１１の斜視図である。
【図２】本考案の実施例２に係る麺類フォーク１２の（ａ）斜視図と（ｂ）断面図である。
【図３】本考案の実施例３に係る麺類フォーク１３の（ａ）斜視図と（ｂ）断面図、（ｃ）本考案の実施例３に係る麺類フォーク１３の変形例を説明する断面図である。
【図４】本考案の実施例４に係る麺類フォーク１４の（ａ）上面図と（ｂ）側面図である。
【図５】本考案の実施例５に係る麺類フォーク１５の（ａ）上面図と（ｂ）側面図と（ｃ）裏面図である。
【図６】本考案の実施例６に係る麺類フォーク１６の（ａ）上面図と（ｂ）側面図である。
【考案を実施するための形態】
【００１２】
本考案の実施の形態について、以下、図に基づいて説明する。
【００１３】
＜実施例１＞
図１に本考案の実施例１に係る麺類フォーク１１を示す。麺類フォーク１１は食物保持部２と把持部３とを有している。食物保持部２は、すくい根４から二本の枝５が分岐する構成である。略板状の枝５の長手方向の中央付近には、湾曲した凹み段差である凹み部２ａが設けられている。凹み部２ａは例えば、板状の枝５を直径５ｍｍの略半円筒形に切り欠いた溝である。従って、枝５の凹み部２ａとは逆の面は平坦であるものとする。なお、枝５の先端を、ここでは爪６と称する。
【００１４】
麺類フォーク１１は例えば、プラスチック樹脂（例えばポリプロピレン）材料を成型することで作製することができる。成型方法としては例えば、インジェクション一体成型が挙げられる。また、ファインセラミック（例えばジルコニア）材料を用いてもよい。その際、形状の起伏や厚みの変化を押さえることにより、セラミックス独自の脆弱さを回避することが可能である。
【００１５】
図１（ａ）は、麺７を両方の枝５の凹み部２ａに渡して掛けた状態を示す斜視図、図１（ｂ）は、麺７を一方の枝５の凹み部２ａにのみ掛けた状態を示す斜視図である。スパゲッティであれば約２本掛かる。また、スパゲッティばかりでなくそば、ラーメンなどやうどんなども同じように掛かるが、太めのうどんなどは一本が掛かる程度である。これは、短く切って食べさせる離乳食として、適量な量と言える。また、掛けた麺に枝５の角が掛かると共に、凹み部２ａの表面と麺７の接触面が一般的なフォークよりも増加していることにより、滑り落ちにくくなっている。そのため、調理用としてゆで具合を確認する為のすくい上げフォークとしても有効である。さらに、食物保持部２の底を平面とする事により、滑らかに口腔に出し入れが可能である。特に口腔内に痛みや傷が有るときには口腔を痛めることがなく有効である。
【００１６】
＜実施例２＞
図２に本考案の実施例２に係る麺類フォーク１２を示す。以下、前述の実施例と同様の部分を示す箇所には同様の符号を用い、詳細な説明は省略する。
【００１７】
麺類フォーク１２は、凹み部の形状が実施例１とは異なり、長手方向に長い凹み段差を有する凹み部２ｂを備えている。図２（ａ）は、麺７を枝５の凹み部２ｂにそれぞれ掛けた状態を示す麺類フォーク１２の斜視図、図２（ｂ）は、麺類フォーク１２の食物保持部２の断面図である。凹み部２ｂは、例えば深さが２ｍｍ長さが１２ｍｍの溝であり、スパゲッティが最大で平行に約５本掛かる。
【００１８】
また麺類フォーク１２は、フォーク芯部２０と、当該フォーク芯部２０の全体を被覆した被覆部３０からなる。これは例えば、プラスチック樹脂（例えばナイロン６６）材料を用いてフォーク芯部２０をインジェクション一体成型した後、シリコンゴム材料をコンプレッション成形することにより被覆部３０でフォーク芯部２０を被覆することで実現できる。このようにフォーク芯部２０をシリコンゴムの被覆部３０で覆うことにより、シリコンゴムの屈曲性を押さえ、表面の柔らかさを得ると共に、摩擦抵抗が増え、凹み部２ｂにおいては食材が一段と滑りにくく、掛けた麺類が滑りにくくなり、把持部３においても握り易く、滑りにくくなる。なお、フォーク芯部２０には、ある程度の硬度を有する材料であればどのようなものを用いてもよく、例えば、ナイロン、ポリプロピレン、金属、セラミックス等が挙げられる。被覆部３０についてもどのようなものを用いても良いが、例えば、摩擦係数の大きなシリコン樹脂、シリコンゴム、エラストマー等が挙げられる。
【００１９】
＜実施例３＞
図３に本考案の実施例３に係る麺類フォーク１３を示す。図３（ａ）は、麺７を枝５の凹み部２ａにそれぞれ掛けた状態を示す麺類フォーク１３の斜視図、図３（ｂ）は、麺類フォーク１３の食物保持部２の断面図である。麺類フォーク１３は、各枝５が凹み部２ａを２つずつ備えている点で、実施例１とは異なる。また、麺類フォーク１３は、実施例２と同様に、フォーク芯部２０と、当該フォーク芯部２０の全体を被覆した被覆部３０からなる。この構造は、二重成型により作製できる。
【００２０】
なお、上記各実施例において凹み部の数や大きさは特に限定されず、適宜調整することができる。凹み部の大きさや数を調整することにより、利用者の年齢や、用途に合わせた構成を実現することができる。例えば、料理用や配膳用のフォークには、より大きく、より多くの凹み部を設けておくことで、一度に多くの量の麺を掛けることができる。
【００２１】
また、枝５の凹み部が形成される面とは逆の面は、必ずしも平坦である必要はない。例えば、図３（ｃ）に示すように、全体の厚みが略均等となるように、凹み部に合わせた波状を有していてもよい。
【００２２】
＜実施例４＞
図４に本考案の実施例４に係る麺類フォーク１４を示す。図４（ａ）は、麺類フォーク１４の上面図、図４（ｂ）は、麺類フォーク１４の側面図である。
【００２３】
麺類フォーク１４は、食物保持部２に３本の枝５が形成されていると共に、枝５自体が波状（例えば、正弦波形状）に構成された波状部２ｅを有している点で上記実施例とは異なる。
【００２４】
波状部２ｅは、ここでは例えば９ｍｍ幅の波状を３回繰り返したものとし、３本の枝５のうち両端の枝と、中央の枝とでは、波の位置や幅、高さ（即ち位相、振幅、波長）がずれた構成となっている。すなわち各枝は、少なくとも他の何れかの枝に対して、波の位置や幅、高さが異なるよう形成されている。これにより、麺を掛けるばかりで無く、絡めて食べるのに適している。また、絡めることにより、麺に汁が自然に絡み、おいしく食べることが出来る。
【００２５】
なお、図４（ｂ）に示すように、先端の爪部６は、すくい根４から伸びる枝の略延長方向に伸びている。即ち、各枝５はその分岐位置の略延長方向に伸長していることになる。
【００２６】
＜実施例５＞
図５に本考案の実施例５に係る麺類フォーク１５を示す。図５（ａ）は、麺類フォーク１５の上面図、図５（ｂ）は、麺類フォーク１５の側面図、図５（ｃ）は、麺類フォーク１５の裏面図である。
【００２７】
麺類フォーク１５は、各枝５に位相にずれのない波状部２ｆを有している。波状部２ｆは、ここでは例えば８ｍｍ幅の略波状を約２回半繰り返したものとする。また、麺類フォーク１５は、図５（ｂ）及び（ｃ）に示すように、把持部３の裏側に凸部の延長としたリブ８が設けられている。リブ８は、把持部が折れないよう強化するものであり、適度な硬度を有していればどのような材料や形状で構成してもよい。例えば、プラスチック樹脂（例えばＰＥＴ）をインジェクション一体成形することで実現可能である。
【００２８】
なお、図５（ｂ）に示すように、先端の爪部６は、把持部３の略延長上に伸びている。また、爪部６は刺しやすくやや尖らせている。このような構成とした場合、例えばカップラーメンから麺を食す簡易フォークとして、麺を掛けるばかりではなく、具を刺し使用するのに適していると言える。
【００２９】
図６に本考案の実施例５に係る麺類フォーク１６を示す。図６（ａ）は、麺類フォーク１５の側面図、図６（ｂ）は、麺類フォーク１５の上面図である。
【００３０】
麺類フォーク１６は、上記実施例５に示す食物保持部２と略同様の形状を有するよう構成したフォーク芯部２１を、被覆部３１で被覆することによって、フォーク裏面が平坦な食物保持部２を形成したものである。これにより、フォーク芯部２１の波状部２ｆはフォーク表面にのみ影響し、表面には溝状の凹み部２ｄが形成される。一方、食物保持部２の裏面は平坦となるため、滑らかな口腔への出し入れが可能である。特に口腔内に痛みや傷害が有るときには口腔を痛めず有効である。
【００３１】
フォーク芯部２１はある程度の硬度を有する材料であればどのようなものを用いてもよく、例えばプラスチック樹脂（例えばナイロン樹脂）で形成することができる。また被覆部３１についてもどのようなものを用いても構わない。例えば、摩擦係数の高いシリコンゴム等で形成することができる。
【００３２】
なお、フォーク芯材２１は、把持部３と一体成型したものとしてもよい。これにより、食物保持部２は被覆材３１の摩擦力により滑りにくく、一方把持部３は被覆材３１による粘つきの無い握りを実現できる。
【００３３】
以上説明したように、上記のような麺類フォークによれば、幼児、子供や老人はもとより、一般の人にも、幼児からお年寄りまで幅広く、麺類を滑らず、掛けるだけで簡便に保持することができる。これによれば、滑ることによる取り落とし、汁はねが無くなってストレスの無い使用が可能であると共に、幼児や障害者、介護者等でも自ら食事を楽しむ機会が増える。
【００３４】
以上、本考案に係る麺類フォークについて説明した。なお上記に限らず、多くの代替物、修正および変形例が当業者にとって明らかである。
【００３５】
例えば、枝５の数は必ずしも上記に限らず、いくつ設けても良い。また、各枝５の全てに波状段差５を設けなくても良い。その際には一般的なフォークと同様の略曲線状の枝５を設けることで、麺の絡みや量を減らすことも可能である。
【００３６】
また、波状部の位相や振幅、波長等は、上記に限らず適宜変化させることができる。これにより、例えば麺の絡みを強化したり、麺の各種の太さに対応させて異なる太さの麺を掛けたりすることができる。また例えば調理用や配膳用の場合では、波状部の波長を広げる事により、茹でた麺類を引き揚げるのに適した構成とすることができる。
【００３７】
さらに、すくい根４をスプーン状に構成することで、スープなどを掬う事も可能となる。
【００３８】
また例えば、シリコンゴム等の独特のタック感（ベタベタした感）のある素材で形成する場合には、表面に摺動性、滑り性、耐摩耗性を向上させる塗装（コーティング）を施しても良い。これによりタック感を抑制し、肌触りよいサラサラとした風合いを実現できる。これにより、高級感を演出することもできる。
【００３９】
また、上記の麺類フォークは、結晶性プラスチック樹脂で形成してもよい。結晶性プラスチック樹脂としては例えば、シンジオタクチックポリスチレンが挙げられる。一般的なポリスチレンはアタクチック構造を持つが、シンジオタクチックポリスチレンはシンジオタクチック構造を持つ。これにより結晶性を有し、通常のスチレン系樹脂と比較して耐熱性を向上させることができる。また、コポリエステル樹脂で形成することも可能である。
【００４０】
なお、ラーメン、そうめん、スパゲッティ、うどん等の麺類の他に、他の食物に対して使用することもできる。
【００４１】
また、各実施例の構成は、必ずしもその実施例のみでなく、他の実施例に対して適用することが可能である。
【符号の説明】
【００４２】
１１〜１６：麺類フォーク、２：食材保持部、２ａ・２ｂ・２ｃ・２ｄ：凹み部、２ｅ・２ｆ・：波状部、３：把持部、４：すくい根、５：枝、６：爪部、２０・２１：フォーク芯部、３０・３１：被覆部。
【図１】
0003177408.tif 000003
【図２】
0003177408.tif 000004
【図３】
0003177408.tif 000005
【図４】
0003177408.tif 000006
【図５】
0003177408.tif 000007
【図６】
0003177408.tif 000008